(57)【要約】【課題】照明器具に対して、光源ユニットを取り付けるに際して、取り付けの作業性を向上させることが可能な照明器具及び照明装置を提供する。【解決手段】照明器具は、光源ユニットが着脱可能に取り付けられる照明器具である。光源ユニットは、取付け用のねじりコイルばねを有する。照明器具は、ベース板と、取付け具５とを備える。取付け具５は、ベース板に取り付けられ、ねじりコイルばねのアーム部が掛かる。取付け具５は、取付け部５１と、立上部５２と、支持部５４と、傾斜部５３とを有する。立上部５２は、取付け部５１から突出する。支持部５４には、アーム部８２が掛かる切欠き５５が形成される。傾斜部５３は、立上部５２と支持部５４とをつなぐ。傾斜部５３には、誘導縁部５７が形成される。誘導縁部５７は、切欠き５５につながり、切欠き５５に向かってアーム部を誘導する。【選択図】図２
2019160667.tif 000002
【特許請求の範囲】
【請求項１】
少なくとも１つの取付け用のねじりコイルばねを有する光源ユニットが着脱可能に取り付けられる照明器具であって、
前記光源ユニットに対向する取付け面を有するベース板と、
前記取付け面に取り付けられ、前記ねじりコイルばねのアーム部が掛かる少なくとも１つの取付け具と、
を備え、
前記取付け具は、
前記取付け面に取り付けられる取付け部と、
前記取付け面に対して交差する方向に沿って前記取付け部から突出する立上部と、
前記アーム部が掛かる切欠きが形成され、前記立上部の突出方向に対して交差する方向に延びる支持部と、
前記立上部と前記支持部とをつなぎ、少なくとも前記支持部に対して傾斜する傾斜部と、
を有し、
前記傾斜部には、前記切欠きにつながり、前記切欠きに向かって前記アーム部を誘導する誘導縁部の少なくとも一部が形成されている、
照明器具。
【請求項２】
前記切欠きにつながる縁のうち、前記誘導縁部とは別の縁には、前記切欠きに掛かった前記アーム部の抜け止めを行う抜止め片が突出して設けられ、
前記抜止め片は、
前記別の縁の長手方向に対して直交する方向に延びる第一縁と、
前記第一縁の長手方向に対して交差する方向に延びる第二縁と、
前記第一縁と前記第二縁とをつなぐ面取り縁と、
を有し、
前記面取り縁と前記第一縁との交点と、前記別の縁と、の間の寸法は、前記ねじりコイルばねの線径の半径以上である、
請求項１の照明器具。
【請求項３】
前記光源ユニットは、
前記照明器具に取り付けられる取付け部材と、
前記取付け部材に対して脚部で取り付けられるカバーと、
を備え、
前記脚部は、前記光源ユニットと前記取付け面とが対向する方向に延びており、
前記傾斜部は、前記対向する方向において、前記脚部に対して重なっている、
請求項１又は請求項２の照明器具。
【請求項４】
請求項１〜３のいずれか１つの照明器具と、
少なくとも１つの取付け用のねじりコイルばねを有する光源ユニットと、
を備えた照明装置。
【発明の詳細な説明】
【技術分野】
【０００１】
本発明は、照明器具及び照明装置に関し、より詳しくは、光源ユニットが着脱可能に取り付けられる照明器具及び照明装置に関する。
【背景技術】
【０００２】
特許文献１には、従来の照明器具が開示されている。この特許文献１に記載の照明器具は、器具本体と、器具本体に着脱可能に取り付けられる光源ユニットとを備える。器具本体は、ベース板と、ベース板の下面に取り付けられた取付金具とを備える。
【０００３】
取付金具は、起立部と、起立部の先端部分に設けられた引掛部とを備えている。引掛部は、起立部に対して直交している。引掛部には、切欠が形成されている。切欠には、ねじりコイルばねで構成された取付ばねが引っ掛けられる。これによって、特許文献１に記載の照明器具は、器具本体と、光源ユニットとが取り付けられる。
【先行技術文献】
【特許文献】
【０００４】
【特許文献１】特開２０１６−８１６４２号公報
【発明の概要】
【発明が解決しようとする課題】
【０００５】
ところで、上記特許文献１に記載の照明器具では、取付ばねを切欠に引掛ける際、切欠につながる縁部に沿って、ねじりコイルばねのアーム部が移動する。しかしながら、切欠が形成された引掛部は、起立部に対して直交しているため、引掛部と起立部との角部にアーム部が引っ掛かりやすいという問題があった。
【０００６】
本発明は、上記事情に鑑みてなされ、照明器具に対して、光源ユニットを取り付けるに際して、取り付けの作業性を向上させることが可能な照明器具及び照明装置を提供することを目的とする。
【課題を解決するための手段】
【０００７】
本発明に係る一態様の照明器具は、少なくとも１つの取付け用のねじりコイルばねを有する光源ユニットが着脱可能に取り付けられる照明器具である。照明器具は、前記光源ユニットに対向する取付け面を有するベース板と、前記取付け面に取り付けられ、前記ねじりコイルばねのアーム部が掛かる少なくとも１つの取付け具と、を備える。前記取付け具は、取付け部と、立上部と、支持部と、傾斜部とを備える。取付け部は、前記取付け面に取り付けられる。立上部は、前記取付け面に対して交差する方向に沿って前記取付け部から突出する。支持部は、前記立上部の突出方向に対して交差する方向に延び、前記アーム部が掛かる切欠きが形成される。傾斜部は、前記立上部と前記支持部とをつなぎ、少なくとも前記支持部に対して傾斜する。前記傾斜部には、前記切欠きにつながり、前記切欠きに向かって前記アーム部を誘導する誘導縁部の少なくとも一部が形成されている。
【０００８】
本発明に係る一態様の照明装置は、前記照明器具と、前記光源ユニットとを備える。前記光源ユニットは、少なくとも１つの前記取付け用のねじりコイルばねを有する。
【発明の効果】
【０００９】
本発明は、照明器具に対して、光源ユニットを取り付けるに際して、取り付けの作業性を向上させることができる、という利点がある。
【図面の簡単な説明】
【００１０】
【図１】図１は、本開示の一実施形態の照明装置の分解斜視図である。
【図２】図２Ａは、同上の取付け具の斜視図である。図２Ｂは、同上の取付け具の平面である。図２Ｃは、同上の取付け具の側面図である。図２Ｄは、同上の取付け具の背面図である。
【図３】図３は、同上の切欠き周辺の要部拡大図である。
【図４】図４は、同上の光源ユニットの斜視図である。
【図５】図５は、同上のねじりコイルばね周辺の拡大図である。
【図６】図６Ａは、光源ユニットが取付け位置にあるときの断面図である。図６Ｂは、光源ユニットが取外し位置にあるときの断面図である。
【図７】図７Ａは、光源ユニットが取外し位置にあるときのねじりコイルばねと取付け具との関係を説明する側面図である。図７Ｂは、光源ユニットが取付け位置にあるときのねじりコイルばねと取付け具との関係を説明する側面図である。図７Ｃは、光源ユニットが取外し位置にあるときのねじりコイルばねと取付け具との関係を説明する底面図である。図７Ｄは、光源ユニットが取付け位置にあるときのねじりコイルばねと取付け具との関係を説明する底面図である。
【図８】図８は、光源ユニットの脚部と、取付け具との関係を示す断面図である。
【発明を実施するための形態】
【００１１】
〔実施形態〕
本実施形態に係る照明器具２及び照明装置１について、図面を参照して詳細に説明する。ただし、本実施形態の説明に用いる図は模式的な図であり、各構成要素の大きさ及び厚さの各々における比が必ずしも実際の寸法比を反映しているとは限らない。本実施形態で説明する構成は、本開示の一例にすぎない。
【００１２】
本開示では、設置面に設置された状態での照明装置１に基づき、上下方向を定義する。すなわち、設置面に直交する方向のうちの下側に向かう方向を「下方向」とし、その反対方向を「上方向」として定義する。また、図１に示すように、照明装置１の長手方向を「第一の方向Ｄ１」といい、第一の方向Ｄ１に直交しかつ水平面に沿う方向を「第二の方向Ｄ２」という場合がある。また、各方向において、照明装置１の中央に対して、近づく側を「内側」といい、離れる側を「外側」という場合がある。
【００１３】
（１）構成
本実施形態に係る照明装置１は、設置面としての天井面に設置される。天井面は、造作材である天井板の下面である。天井面は、本実施形態では、水平面に平行であるが、本開示では、傾斜天井のように、水平面に対して傾斜していてもよい。要するに、本開示に係る設置面は、水平面に限らない。本実施形態に係る照明装置１は、天井板に形成された貫通孔に大部分が通される埋込型の照明装置１である。ただし、本開示では、照明装置１は、埋込型に限らず、設置面に直接取り付けられる直付け型の照明装置１であってもよい。照明装置１は、本実施形態では、照明器具２と、光源ユニット６と、を備える。
【００１４】
（１．１）照明器具
照明器具２は、光源ユニット６が取り付けられる器具である。照明器具２には、光源ユニット６が、取り外しし得る状態で取り付けられる。要するに、照明器具２には、光源ユニット６が着脱可能に取り付けられる。照明器具２は、本実施形態では、設置面に設置され、これにより、光源ユニット６を設置面に対して固定する。本実施形態では、照明装置１が設置面に対して設置されると、照明器具２の下端部（ここでは、矩形状の枠状部分）以外の箇所は、設置面よりも上方に位置する。要するに、本実施形態の照明器具２は、設置面に埋め込まれた状態で固定される。照明器具２は、本実施形態では、ベース板３と、反射板ユニット４と、複数の取付け具５と、を備える。
【００１５】
（１．１．１）ベース板
ベース板３は、設置面に対して固定され、反射板ユニット４，複数の取付け具５，及び光源ユニット６を支持する。ベース板３は、本実施形態では、平板部３１と、一対の保持部３２とを備える。
【００１６】
平板部３１は、ベース板３において平板状に形成された部分であり、本実施形態では、ベース板３の上端部である。平板部３１は長尺であり、平板部３１の長手方向は第一の方向Ｄ１に平行である。平板部３１は、本実施形態では、設置面に対して平行である。平板部３１は、上方向に向く固定面３１１と、光源ユニット６に対向する取付け面３１２とを有する。
【００１７】
固定面３１１は、設置面に対して固定される面である。固定面３１１は、本実施形態では、上下方向に延びる吊りボルトに取り付けられる。吊りボルトは設置面に対して固定されているため、本実施形態に係る固定面３１１は、設置面に対して間接的に固定される。ただし、本開示では、固定面３１１は、設置面に対して対向していてもよく、ビスあるいはねじ等の固定具、又は接着剤等を介して、直接的に固定されてもよい。
【００１８】
取付け面３１２は、光源ユニット６に対向する。取付け面３１２は、本実施形態では、下方向に向いている。取付け面３１２は、本実施形態では、ベース板３の厚み方向において、固定面３１１とは反対側の面である。取付け面３１２は、本実施形態では、平面である。ただし、本開示では、取付け面３１２は平面である必要はなく、例えば、下方向にシリンダ状に突出してもよいし、凹凸面を有していてもよい。
【００１９】
一対の保持部３２は、反射板ユニット４を保持する。各保持部３２は、平板部３１の第二の方向Ｄ２の両端部の各々から下方向に突出している。各保持部３２は、平板部３１の第二の方向Ｄ２の端部において、第一の方向Ｄ１の全長にわたって延びている。反射板ユニット４は、一対の保持部３２に取り付けられている。
【００２０】
（１．１．２）反射板ユニット
反射板ユニット４は、光源ユニット６から放射された光を、上下方向のうちの下側に向けて反射して、光を集める。反射板ユニット４の上端部は、一対の保持部３２に取り付けられている。反射板ユニット４は、本実施形態では、一対の反射板４１と、一対の側壁板４２と、一対の支持片４３と、を備える。
【００２１】
一対の反射板４１は、反射板ユニット４のうち光を集める部分を構成する。各反射板４１は、本実施形態では、平板状であり、下方向に行くに従って、第二の方向Ｄ２の外側に位置するように傾斜している。要するに、一対の反射板４１は、下方向に行くに従って互いの間隔が広くなるように配置される。本開示では、各反射板４１は、例えば、亜鉛めっき鋼板等のめっき鋼板，又は塗装鋼板等の金属板が例示される。また、各反射板４１では、少なくとも下面が、白色の塗料で塗装されてもよい。これによって、反射ユニットにおける反射率の向上を図ることができる。
【００２２】
一対の側壁板４２は、一対の反射板４１同士をつなぐ部材である。一対の側壁板４２は、一対の反射板４１の第一の方向Ｄ１の両端部に配置される。各側壁板４２と一対の反射板４１とは、本実施形態では、例えば、溶接，ねじ止め又はしまりばめ等で互いに固定される。
【００２３】
一対の支持片４３は、一対の保持部３２に保持される部分である。一対の支持片４３は、一対の反射板４１の上端部に一体に設けられている。一対の支持片４３は、本実施形態では、Ｌ字状に形成されており、一対の反射板４１の上端から第二の方向Ｄ２の外側に向かって突出している。一対の支持片４３は一対の保持部３２に対して一対一で保持され、これによって、反射板ユニット４は、ベース板３に取り付けられる。
【００２４】
（１．１．３）取付け具
取付け具５は、光源ユニット６における後述のねじりコイルばね８が掛かる部材である。取付け具５は、取付け面３１２に取り付けられる。取付け具５は、本実施形態では、金属板にプレス加工を施すことで形成される。取付け具５は、本実施形態では、複数（ここでは２つ）あり、第一の方向Ｄ１に並ぶように配置される。取付け具５は、本実施形態では、ベース板３の第二の方向Ｄ２において、中央よりも端寄りに配置される。取付け具５は、本実施形態では、ねじりコイルばね８が掛けられることで、光源ユニット６の第二の方向Ｄ２の両端部のうちの一方の端部を支持する。なお、後で説明するが、本実施形態では、光源ユニット６の第二の方向Ｄ２の両端部のうちの他方の端部は、止め具７３（図４参照）によって支持される。ただし、本開示では、ベース板３に対して、複数の取付け具５のみで、光源ユニット６が取り付けられてもよい。取付け具５は、本実施形態では、図２Ａ，図２Ｂに示すように、取付け部５１と、立上部５２と、傾斜部５３と、支持部５４と、を備える。
【００２５】
取付け部５１は、取付け具５において、取付け面３１２に取り付けられる部分である。取付け部５１は、本実施形態では、取付け面３１２に対向する対向面５１１を有する。取付け部５１は、本実施形態では、第一の方向Ｄ１に長手方向を有する矩形状の板体である。取付け部５１は、複数の貫通孔５１２を有する。複数の貫通孔５１２は、バーリング加工によって筒状に形成された複数（ここでは２つ）の取付孔（第一の取付孔５１２ａ）と、複数（ここでは２つ）の馬鹿穴からなる取付孔（第二の取付孔５１２ｂ）と、を含む。本実施形態では、取付け部５１に第一の取付孔５１２ａと第二の取付孔５１２ｂとが形成されていることで、施工者が下方からねじ止め作業を行う場合と、上方からねじ止め作業を行う場合との両方の場合に対応し得る。
【００２６】
本実施形態では、取付け部５１は、矩形状の板体であるが、本開示では、棒状，筒状，又はブロック状等に形成されてもよい。
【００２７】
立上部５２は、取付け面３１２に対して交差する方向に沿って取付け部５１から突出する。立上部５２は、本実施形態では、取付け部５１の第二の方向Ｄ２の一方の端部（ここでは、第二の方向Ｄ２の外側の端部）から下方向に突出しており、取付け部５１に一体に設けられた板体で構成される。立上部５２が取付け部５１から突出する方向（以下、突出方向）は、本実施形態では、取付け部５１の対向面５１１に対して直交している。ここでいう「直交」とは、対向面５１１と立上部５２の突出方向とが、厳密に９０°であることを意味するのではなく、±５°の範囲内であれば、「直交」の範疇である。
【００２８】
ただし、本開示では、立上部５２の突出方向は、対向面５１１に対して直交していなくてもよく、対向面５１１に対して傾斜していてもよい。要するに、本開示では、立上部５２は、取付け面３１２に対して交差していればよい。
【００２９】
傾斜部５３は、立上部５２と支持部５４とをつなぐ部分である。傾斜部５３は、本実施形態では、立上部５２及び支持部５４に対して傾斜している。傾斜部５３は、本実施形態では、立上部５２に一体に設けられた平板状の板体で構成されている。ただし、本開示では、傾斜部５３は、平板状でなくてもよく、例えば、下方向にシリンダ状に突出した断面円弧状の板体で構成されてもよい。
【００３０】
また、本開示では、傾斜部５３は、立上部５２に対して傾斜していなくてもよい。すなわち、上述のように、立上部５２が鉛直面から傾いている場合、立上部５２と傾斜部５３との境界が現れなくてもよい。要するに、本開示では、傾斜部５３は、少なくとも支持部５４に対して傾斜していればよい。
【００３１】
支持部５４は、後述のねじりコイルばね８が掛かる部分である。支持部５４は、本実施形態では、傾斜部５３の突出先端側の端部から、第二の方向Ｄ２に突出している。支持部５４の突出方向は、立上部５２の突出方向に交差する。支持部５４は、本実施形態では、横板部５４１と、縦板部５４２とを備えている。
【００３２】
横板部５４１は、傾斜部５３の下端から水平面に沿って第二の方向Ｄ２に延びている。すなわち、横板部５４１の下面は、水平面に平行である。横板部５４１は、本実施形態では、傾斜部５３に一体に設けられている。縦板部５４２は、横板部５４１の突出方向の先端から上方向に突出している。縦板部５４２は、本実施形態では、横板部５４１に対して直交する方向に延びている。縦板部５４２は、横板部５４１の第一の方向Ｄ１の全長にわたって形成されており、横板部５４１に一体に設けられている。本実施形態では、支持部５４は、立上部５２の突出方向に対して、横板部５４１の延びる方向が交差する。要するに、本実施形態では、支持部５４は、立上部５２の突出方向に対して交差する方向に延びる。
【００３３】
支持部５４には、複数の切欠き５５が形成されている。複数の切欠き５５は、後述のねじりコイルばね８のアーム部８２が掛かる部分である。複数の切欠き５５は、本実施形態では、横板部５４１に形成されている。
【００３４】
各切欠き５５は、第一の方向Ｄ１のいずれか一方に開放している。各切欠き５５は、本実施形態では、上下方向に見て（以下、平面視）Ｃ字状に形成されている。切欠き５５の第二の方向Ｄ２の長さ（つまり、幅）は、ねじりコイルばね８の線径の１．０倍以上１．５倍以下であることが好ましく、より好ましくは、１．０倍以上１．２５倍以下である。各切欠き５５は、２つの縁につながっている。取付け具５は、本実施形態では、各切欠き５５につながる２つの縁として、誘導縁部５７と、対向縁部５８とを備える。
【００３５】
ここで、本開示でいう「切欠き５５」とは、支持部５４から一部を切り取ったように見える形状であることを意味し、実際に切り欠きを作る過程を意味するものではない。つまり、切欠き５５は、支持部５４の一部を切り取って形成されてもよいし、支持部５４を成形する際に、金型によって形成されてもよい。
【００３６】
誘導縁部５７は、各切欠き５５に向かってねじりコイルばね８のアーム部８２を誘導する。誘導縁部５７は、本実施形態では、図２Ｂに示すように、立上部５２の第一の方向Ｄ１端部から、立上部５２，傾斜部５３，及び支持部５４の順で連続している。要するに、本実施形態では、誘導縁部５７の少なくとも一部は、傾斜部５３に形成されている。誘導縁部５７は、全長にわたって滑らかに連続している。なお、図２Ｂ及び図２Ｄにおいて、ドットを付した部分は、傾斜部５３である。
【００３７】
本開示でいう「誘導縁部５７」とは、アーム部８２が接触しながら移動する際に、アーム部８２を誘導する部分を意味する。例えば、本実施形態では、「誘導縁部５７」は、金属板の厚み方向の外面側の角部を指すが、例えば、金属板の厚み方向の外面側の角部が隅丸形状である場合には、金属板の端面が「誘導縁部５７」となる場合もある。
【００３８】
対向縁部５８は、誘導縁部５７に対向する。対向縁部５８は、図３に示すように、第一の方向Ｄ１に沿って延びている。対向縁部５８には、本実施形態では、抜止め片５６が突出するようにして設けられている。抜止め片５６は、切欠き５５に掛かったアーム部８２の抜け止めを行う。
【００３９】
図３には、切欠き５５に掛かったアーム部８２が、切欠き５５に対して第一の方向Ｄ１の抜止め片５６側に移動した状態を示す。抜止め片５６は、第一縁５６１と、第二縁５６２と、面取り縁５６３とを備える。第一縁５６１は、第二の方向Ｄ２に延びており、すなわち、対向縁部５８に対して直交する方向に延びている。第一縁５６１と対向縁部５８との入隅部は、アール状に形成されている。ここでいう「直交する」とは、厳密に９０°であることを意味するのではなく、例えば±５°の範囲内であれば、「直交」の範疇である。
【００４０】
第二縁５６２は、第一縁５６１に対して交差する方向に延びる。第二縁５６２の長手方向は、本実施形態では、第一縁５６１の長手方向に対して直交する。第二縁５６２は、本実施形態では、直線状であるが、本開示では、円弧状に形成されてもよい。また、第二縁５６２は、本実施形態では、第一縁５６１の長手方向に対して直交する方向に延びているが、本開示では、第一縁５６１に対して傾斜する方向に延びていてもよく、要するに、第一縁５６１の長手方向に対して交差する方向に延びていればよい。
【００４１】
面取り縁５６３は、第一縁５６１と第二縁５６２とをつなぐ。面取り縁５６３は、本実施形態では、直線状であり、第一縁５６１と第二縁５６２との出隅部に、いわゆるＣ面取りを施した形状である。ただし、面取り縁５６３は、本開示では、直線状でなくてもよく、例えば、円弧状のＲ面取りを施した形状であってもよい。面取り縁５６３は、誘導縁部５７に対して対向している。面取り縁５６３と誘導縁部５７との間の寸法は、ねじりコイルばねの線径ｒよりも大きく形成されている。
【００４２】
図３に示すように、面取り縁５６３と第一縁５６１との交点と、対向縁部５８と、の間の寸法ｔは、ねじりコイルばね８の線径の半径ｒ以上に形成されている。より詳しくは、本実施形態では、面取り縁５６３と第一縁５６１との交点と、対向縁部５８と、の間の寸法ｔは、ねじりコイルばね８の線径の半径ｒよりも大きい。したがって、本実施形態では、ねじりコイルばね８のアーム部８２が、第一の方向Ｄ１に沿って移動した場合でも、アーム部８２は抜止め片５６を乗り越えにくい。
【００４３】
（１．２）光源ユニット
光源ユニット６は、光を放射する。光源ユニット６は、本実施形態では、図４に示すように、光源モジュール６０と、電源ユニット６１と、取付け部材７と、カバー９と、を備える。
【００４４】
光源モジュール６０は、光源ユニット６における光源である。光源モジュール６０は、本実施形態では、第一の方向Ｄ１に長手方向を有する基板と、基板の下面に実装される複数の固体発光素子（発光ダイオード）とを有する。複数の固定発光素子は、例えば、第一の方向Ｄ１に等間隔で、かつ第二の方向Ｄ２に複数列（ここでは、２列）に並んで配置される。ただし、本開示では、固体発光素子は一列に配置されてもよく、また等間隔でなくてもよい。本開示では、光源モジュール６０は、発光ダイオードでなくてもよく、蛍光灯又は白熱電球等であってもよい。
【００４５】
電源ユニット６１は、光源モジュール６０に電力を供給する。電源ユニット６１は、本実施形態では、交流の電圧・電流を直流の電圧・電流に変換する電力変換回路，入力端子部，複数の出力端子部，及び信号端子部等が実装されたプリント配線板を有する。プリント配線板は、本実施形態では、金属製のケースに収納されている。電源ユニット６１は、取付け部材７に対して、例えば、ねじ止め等により固定される。
【００４６】
取付け部材７は、少なくとも光源モジュール６０を、照明器具２に取り付けるための部材である。本実施形態では、取付け部材７は、照明器具２に対して、光源モジュール６０，電源ユニット６１及びカバー９を固定し得る。取付け部材７は、本実施形態では、図５に示すように、底壁部７１と、一対の側壁部７２と、止め具７３と、取付けばね（ここでは、ねじりコイルばね８）と、を備える。
【００４７】
底壁部７１は、少なくとも光源モジュール６０が固定される部分である。底壁部７１は、本実施形態では、第一の方向Ｄ１に長手方向を有する矩形状の金属板で構成されている。本実施形態では、底壁部７１の下面（厚み方向の両面のうちの下側の面）は、設置面に対して平行である。光源モジュール６０は、底壁部７１の下面に取り付けられている。電源ユニット６１は、本実施形態では、底壁部７１の上面に取り付けられている。
【００４８】
一対の側壁部７２は、底壁部７１の少なくとも一部から上方向に突出して底壁部７１を補強し、また、カバー９を支持する機能も有する。本実施形態において、各側壁部７２は、底壁部７１の第二の方向Ｄ２の端部から上方向に突出する。各側壁部７２の上端には、引掛け部７２１（図８）が形成されている。引掛け部７２１は、カバー９の少なくとも一部が引っ掛けられる部分であり、カバー９を支持する。引掛け部７２１は、本実施形態では、側壁部７２を形成する金属板の上端部を、円筒形に巻くことで形成されている。引掛け部７２１は、本実施形態では、取付け部材７の第一の方向Ｄ１の全長にわたって形成されている。
【００４９】
止め具７３は、照明器具２に対して、取付け部材７の第二の方向Ｄ２の端部のうちのいずれか一方の端部を止める部材である。止め具７３は、本実施形態では、底壁部７１に取り付けられる平板状の固定片７３１と、固定片７３１から立ち上げられる立上片７３２と、立上片７３２の上端部から第二の方向Ｄ２のうちの外側に突出した突出片７３３と、抜止め片７３４と、を備える。抜止め片７３４は、突出片７３３に設けられている。
【００５０】
抜止め片７３４は、照明器具２から光源ユニット６が取り外された際、光源ユニット６の落下を防止する。抜止め片７３４は、本実施形態では、光源ユニット６が照明器具２に取り付けられた状態で、突出片７３３の第二の方向Ｄ２の外側の端部から、下方に折り曲げられている。より詳細には、抜止め片７３４は、光源ユニット６が照明器具２に取り付けられた状態で、下方向に行くに従って第二の方向Ｄ２の内側に向かうように、突出片７３３に対して傾斜している。
【００５１】
ねじりコイルばね８は、照明器具２に光源ユニット６が取り付けられた状態において、照明器具２に対する光源ユニット６の位置を保つ。ねじりコイルばね８は、本実施形態では、取付け部材７の第二の方向Ｄ２の両端部のうち、止め具７３が設けられた側とは反対側の端部に設けられる。ねじりコイルばね８は、本実施形態では、コイル部８１と、一対のアーム部８２とを備える。ねじりコイルばね８は、一の線材で構成されており、本実施形態では、例えば、硬鋼線で構成される。ただし、コイルばねは、本開示では、硬鋼線に限らず、ピアノ線，ばね用ステンレス鋼，又は黄銅線等で構成されてもよい。
【００５２】
コイル部８１は、線材が第二の方向Ｄ２に沿う中心軸の回りに螺旋状に巻かれた部分である。コイル部８１は、本実施形態では、複数回（ここでは、３回）巻かれている。本開示でいう「螺旋状」とは、線材が１回転以上巻かれていればよい。コイル部８１は、本実施形態では、側壁部７２から第二の方向Ｄ２の内側に突出した掛止め部７２２に掛けられている。
【００５３】
一対のアーム部８２は、コイル部８１の端部に一体に設けられている。一対のアーム部８２は、第二の方向Ｄ２に沿う中心軸回りに移動可能である。ねじりコイルばね８では、一対のアーム部８２が相対的に移動することで、コイル部８１に弾性エネルギが蓄えられる。本実施形態では、一対のアーム部８２のうち、取付け部材７に対して固定されるアーム部８２を「第一のアーム部８２１」といい、第一のアーム部８２１に対して移動し得るアーム部８２を「第二のアーム部８２２」という。
【００５４】
第二のアーム部８２２は、光源ユニット６が照明器具２に取り付けられた状態で、後述の取付け具５に対して、上下方向において下側に向く力を与える。第二のアーム部８２２は、第一延出部８２３と、第二延出部８２４と、抜止め部８２５と、を備える。第一延出部８２３，第二延出部８２４，及び抜止め部８２５は、直線状の線材を部分的に曲げることで形成されている。
【００５５】
第一延出部８２３は、コイル部８１を形成する線材の端部に一体に設けられている。第一延出部８２３は、コイル部８１の外周部の一部（ここでは、下端部）から突出している。第一延出部８２３の長手方向は、本実施形態では、光源ユニット６が照明器具２に取り付けられた状態で、第一の方向Ｄ１のうちのコイル部８１から離れる側に行くに従って上方に位置するように傾斜している。光源ユニット６が照明器具２に取り付けられた状態では、第一延出部８２３は、自然状態よりも上方向に移動した状態にあり、要するに、取付け具５に対して下方向に力を与える。ここで、本開示でいう「自然状態」とは、ねじりコイルばね８に対して中心軸回りの外力を与えていない状態を意味する。
【００５６】
第二延出部８２４は、第一延出部８２３の長手方向のうちのコイル部８１から離れた側の端部に一体に設けられている。第二延出部８２４の長手方向は、本実施形態では、第一延出部８２３の長手方向に対して傾いている。特に、本実施形態では、第二延出部８２４の長手方向は、第一延出部８２３の長手方向に対して、光源側に傾いている。
【００５７】
抜止め部８２５は、光源ユニット６が照明器具２から取り外された状態で、光源ユニット６の脱落を抑える。抜止め部８２５は、第二延出部８２４の長手方向のうちの第一延出部８２３とは反対側の端部に一体に設けられている。抜止め部８２５の長手方向は、本実施形態では、第二延出部８２４の長手方向に対して直交している。
【００５８】
光源ユニット６は、図６Ａに示すように、照明器具２に取り付けられる。反射板ユニット４には、止め具７３が取り付けられるスリット状の開口部が形成されている。開口部に止め具７３が差し込まれた状態で、ベース板３に対して光源ユニット６を押し込むと、図６Ａに示すように、光源ユニット６は、照明器具２に対して取付け位置に配置される。このとき、止め具７３の突出片７３３は開口部を通り、第二の方向Ｄ２に平行である。
【００５９】
次に、照明器具２から光源ユニット６が引き下げられると、図６Ｂに示すように、光源ユニット６の第二の方向Ｄ２におけるねじりコイルばね８側の端部が下方向に下がり、止め具７３の抜止め片７３４が開口部に引っ掛かる。これにより、光源ユニット６は、照明器具２に対して取外し位置の最下点に位置する。なお、ここでいう「取外し位置」とは、光源ユニット６が「取付け位置」以外の位置にあることを意味する。
【００６０】
このように、本実施形態に係る光源ユニット６は、取付け位置と取外し位置の最下点との間で移動可能であるが、このときのねじりコイルばね８と取付け具５との関係を図７Ａ〜図７Ｄに示す。
【００６１】
図７Ａは、取外し位置にある光源ユニット６を照明器具２に向かって移動させた状態の側面図であり、図７Ｃは、その底面図である。図７Ｂは、取付け位置にある光源ユニット６と照明器具２との側面図であり、図７Ｄは、その底面図である。
【００６２】
取外し位置にある光源ユニット６では、ねじりコイルばね８は、取付け具５の切欠き５５に掛けられており、アーム部８２が取付け具５に対して、上下方向における下側に弾性力を与える。この状態で、光源ユニット６を照明器具２に向かって移動させると、アーム部８２は、取付け具５に近づくのに従って、取付け具５に接触した状態を保ちながら移動する。このとき、図７Ｃに示すように、アーム部８２は、誘導縁部５７と接触した状態を保ちながら、切欠き５５に向かって誘導縁部５７に沿って移動する。
【００６３】
光源ユニット６が取付け位置にまで移動すると、図７Ｂ，図７Ｄに示すように、アーム部８２は、切欠き５５に掛かった状態で、取付け具５に対して下向きの力を与える。これにより、光源ユニット６は、照明器具２に対して、取付け位置に保たれる。
【００６４】
このとき、本実施形態では、誘導縁部５７の少なくとも一部が傾斜部５３に形成されているため、ねじりコイルばね８のアーム部８２がスムーズに切欠き５５に誘導される。この結果、施工者又はユーザは、照明器具２に対して、光源ユニット６を取り付ける際の作業性を向上することができる。
【００６５】
カバー９は、光源モジュール６０を下方から覆う。カバー９は、本実施形態では、押出成形により成形されるが，本開示では、射出成型又は注型成形等の樹脂成型で成形されてあってもよい。カバー９は、本実施形態では、図４に示すように、カバー本体９１と、一対の脚部９２とを備える。
【００６６】
カバー本体９１は、光源モジュール６０を覆う部分であり、光源モジュール６０から放射される光を通す。カバー本体９１は、本実施形態では、アクリル樹脂などの透光性を有する材料により構成される。
【００６７】
一対の脚部９２は、カバー本体９１を、光源モジュール６０に対して固定する。一対の脚部９２は、カバー本体９１の第二の方向Ｄ２の両端部から、上方向に突出する。各脚部９２の上端部には、図８に示すように、第二の方向Ｄ２の内側に突出する突条部９３が形成されている。突条部９３は、各脚部９２の第二の方向Ｄ２の全長にわたって形成されている。突条部９３は、取付け部材７の引掛け部７２１に対して、第二の方向Ｄ２の外側から内側に向かって嵌め込まれる。突条部９３が取付け部材７の引掛け部７２１に対して引掛けられることで、カバー９は、取付け部材７に取り付けられる。したがって、カバー９は、取付け部材７に対して脚部９２で取り付けられる。
【００６８】
ここで、図８に示すように、脚部９２は、照明器具２が光源ユニット６に取り付けられた状態において、平面視において、傾斜部５３と脚部９２（突条部９３を含む）とが重なる。ところで、例えば、カバー９の成形時において、ヒケ等により、カバー９の長手方向の一部が若干変形する場合がある。この場合、仮に、取付け具５に傾斜部５３が設けられていないと、カバー９の脚部９２が取付け具５に干渉する可能性がある。これに対し、本実施形態では、取付け具５が傾斜部５３を備えているため、取付け具５と脚部９２との干渉を抑えることができる。
【００６９】
本実施形態では、脚部９２は、ベース板３の取付け面３１２と光源ユニット６とが対向する方向（ここでは、上下方向）に延びている。傾斜部５３は、平面視で脚部９２に重なる。ここでいう「重なる」とは、脚部９２及び傾斜部５３の少なくとも一部が重なればよく、必ずしも全てが重なっている必要はない。ただし、本実施形態では、傾斜部５３は、平面視において、脚部９２の全てに対して重なっている。本実施形態では、第二の方向Ｄ２において、傾斜部５３の内側の端部は、脚部９２の内側の端部よりも、内側に位置している。
【００７０】
これによって、本実施形態では、カバー９の脚部９２の上下方向の長さを、従来と同じ長さとしたままでも、の脚部９２と取付け具５との干渉を効果的に抑えることができる。
【００７１】
〔変形例〕
上記実施形態は、本開示の様々な実施形態の一つに過ぎない。上記実施形態は、本開示の目的を達成できれば、設計等に応じて種々の変更が可能である。以下、上記実施形態の変形例を列挙する。以下に説明する変形例は、適宜組み合わせて適用可能である。
【００７２】
上記実施形態では、照明装置１は、２つのねじりコイルばね８を有していたが、本開示では、ねじりコイルばね８は、１つ又は３つ以上であってもよい。また、上記実施形態では、光源ユニット６において、第二の方向Ｄ２の端部のうちの、一方の端部が止め具７３で支持されていたが、本開示では、止め具７３に代えて、ねじりコイルばね８及び取付け具５を用いてもよい。
【００７３】
上記実施形態では、１つの取付け具５に対して、２つの切欠き５５が形成されていたが、本開示では、１つの切欠き５５が形成された取付け具５であってもよい。
【００７４】
〔態様〕
以上説明したように、第１の態様に係る照明器具（２）は、光源ユニット（６）が着脱可能に取り付けられる照明器具（２）である。光源ユニット（６）は、少なくとも１つの取付け用のねじりコイルばね（８）を有する。照明器具（２）は、ベース板（３）と、少なくとも１つの取付け具（５）とを備える。ベース板（３）は、光源ユニット（６）に対向する取付け面（３１２）を有する。取付け具（５）は、取付け面（３１２）に取り付けられ、ねじりコイルばね（８）のアーム部（８２）が掛かる。取付け具（５）は、取付け部（５１）と、立上部（５２）と、支持部（５４）と、傾斜部（５３）とを有する。取付け部（５１）は、取付け面（３１２）に取り付けられる。立上部（５２）は、取付け面（３１２）に対して交差する方向に沿って取付け部（５１）から突出する。支持部（５４）の延びる方向は、立上部（５２）の突出方向に対して交差する。支持部（５４）には、アーム部（８２）が掛かる切欠き（５５）が形成される。傾斜部（５３）は、立上部（５２）と支持部（５４）とをつなぎ、少なくとも支持部（５４）に対して傾斜する。傾斜部（５３）には、誘導縁部（５７）の少なくとも一部が形成されている。誘導縁部（５７）は、切欠き（５５）につながり、切欠き（５５）に向かってアーム部（８２）を誘導する。
【００７５】
この態様によれば、誘導縁部（５７）が傾斜部（５３）に形成されているため、アーム部（８２）を切欠き（５５）にスムーズに導くことができる。
【００７６】
第２の態様に係る照明器具（２）では、第１の態様において、切欠き（５５）につながる縁のうち、誘導縁部（５７）とは別の縁（対向縁部５８）には、切欠き（５５）に掛かったアーム部（８２）の抜け止めを行う抜止め片（５６）が突出して設けられる。抜止め片（５６）は、第一縁（５６１）と、第二縁（５６２）と、面取り縁（５６３）と、を有する。第一縁（５６１）は、別の縁（対向縁部５８）の長手方向に対して直交する方向に延びる。第二縁（５６２）は、第一縁（５６１）の長手方向に対して交差する方向に延びる。面取り縁（５６３）は、第一縁（５６１）と第二縁（５６２）とをつなぐ。面取り縁（５６３）と第一縁（５６１）との交点と、別の縁（対向縁部５８）と、の間の寸法（ｔ）は、ねじりコイルばね（８）の線径の半径（ｒ）以上である。
【００７７】
この態様によれば、ねじりコイルばね（８）のアーム部（８２）が、抜止め片（５６）を乗り越えにくいため、アーム部（８２）が切欠き（５５）から外れて、取付け具（５）から脱落するのを抑えることができる。
【００７８】
第３の態様に係る照明器具（２）では、第１又は第２の態様において、光源ユニット（６）は、照明器具（２）に取り付けられる取付け部材（７）と、取付け部材（７）に対して脚部（９２）で取り付けられるカバー（９）と、を備える。脚部（９２）は、光源ユニット（６）と取付け面（３１２）とが対向する方向に延びている。傾斜部（５３）は、光源ユニット（６）と取付け面（３１２）とが対向する方向において、脚部（９２）に対して重なっている。
【００７９】
この態様によれば、脚部（９２）と取付け具（５）との干渉が生じるのを抑えることができる。
【００８０】
第４の態様に係る照明装置（１）は、第１〜第３の態様のいずれか１つの照明器具（２）と、光源ユニット（６）とを備える。光源ユニット（６）は、少なくとも１つの取付け用のねじりコイルばね（８）を有する。
【００８１】
この態様によれば、照明器具（２）に対して光源ユニット（６）を取り外したり、取り付けたりする際に、アーム部（８２）を切欠き（５５）にスムーズに導くことができる。
【００８２】
第２〜第４の態様に係る構成については、照明器具（２）及び照明装置（１）に必須の構成ではなく、適宜省略可能である。
【符号の説明】
【００８３】
１          照明装置
２          照明器具
３          ベース板
３１２      取付け面
５          取付け具
５１        取付け部
５２        立上部
５３        傾斜部
５４        支持部
５５        切欠き
５６        抜止め片
５６１      第一縁
５６２      第二縁
５６３      面取り縁
５７        誘導縁部
６          光源ユニット
７          取付け部材
８          ねじりコイルばね
８２        アーム部
９          カバー
９２        脚部
ｔ          面取り縁と第一縁との交点と、別の縁との間の寸法
ｒ          線径の半径
【図１】
2019160667.tif 000003
【図２】
2019160667.tif 000004
【図３】
2019160667.tif 000005
【図４】
2019160667.tif 000006
【図５】
2019160667.tif 000007
【図６】
2019160667.tif 000008
【図７】
2019160667.tif 000009
【図８】
2019160667.tif 000010